(57)【要約】【課題】接続信頼性が高いコネクタと相手側コネクタを提供する。【解決手段】プラグ側コネクタ１において、各信号コンタクト３は、突出部２ａの一面側に配設される第１接触部３ａと、突出部の他面側に配設される第２接触部３ｂとを有する。シェル５は、突出部の他面側に配設されるシェル接触部５ａを有する。第２接触部の端面とシェル接触部の端面とは、対向配置される。レセプタクル側コネクタ１１において、各信号コンタクト１３は、二股形状に構成され、端子部１３ａと、第１接触部１３ｂと、第２接触部１３ｃとを有する。シェル１５の下部は、略Ｕ字形状に延設されてハウジング１２の下部の内面側に配設されるシェル接触部１５ａを有する。第２接触部１３ｃの端面とシェル接触部１５ａの端面とは、対向配置される。プラグ側コネクタとレセプタクルコネクタとが嵌合すると、各コンタクトの２点と各シェルの１点との合計３点で接続する。【選択図】  図１
2008293916.tif 000002
【特許請求の範囲】
【請求項１】
複数のコンタクトと、前記各コンタクトを保持するハウジングと、前記ハウジングを被覆するシェルとを有するコネクタにおいて、
前記ハウジングは、前記各コンタクトの接触部が配設される平板状の突出部を有し、
前記各コンタクトは、前記突出部の一面側に配設される第１接触部と、前記第１接触部から延設されて前記突出部の他面側に配設される第２接触部とを有し、
前記シェルは、前記突出部の他面側に配設されるシェル接触部を有し、
前記第２接触部の端面と前記シェル接触部の端面とは、対向配置されることを特徴とするコネクタ。
【請求項２】
請求項１記載のコネクタと接続する相手側コネクタにおいて、
前記相手側コネクタは、複数の相手側コンタクトと、前記各相手側コンタクトを保持する相手側ハウジングと、前記相手側ハウジングを被覆する相手側シェルとを有し、
前記各相手側コンタクトは、前記第１接触部と接続する相手側第１接触部と、前記第２接触部と接続する相手側第２接触部とを有し、
前記相手側シェルは、前記シェル接触部と接続する相手側シェル接触部を有することを特徴とする相手側コネクタ。
【請求項３】
請求項２記載の相手側コネクタにおいて、
前記各コンタクト及び前記各相手側コンタクトは、信号コンタクトとグランドコンタクトからなり、
前記シェル接触部は、第１シェル接触部と第２シェル接触部とからなり、前記第１シェル接触部は、前記相手側シェル接触部と接続し、前記第２シェル接触部は、前記相手側コンタクトの前記グランドコンタクトと接続することを特徴とする相手側コネクタ。
【発明の詳細な説明】
【技術分野】
【０００１】
本発明は、プラグ側コネクタ等のコネクタのコンタクト及びシェルと、レセプタクル側コネクタ等の相手側コネクタのコンタクト及びシェルとの接続構造に関する。
【背景技術】
【０００２】
第１の従来のプラグ側コネクタとレセプタクル側コネクタについて図３を参照して説明する。
【０００３】
プラグ側コネクタ２１は、ハウジング（インシュレータ）２２と、ハウジング２２に紙面に直交する方向に所定のピッチで保持される多数のコンタクト２３と、各コンタクト２３とそれぞれ接続する各導線２４ａを有するケーブル２４と、各コンタクト２３、各導線２４ａ及びハウジング２２を被覆してケーブル２４のシールド２４ｂと接続する２つのシェル２５，２６とから構成される。
【０００４】
ハウジング２２は、各コンタクト２３の接触部２３ａが配設される平板状の突出部（嵌合部）２２ａを有する。
【０００５】
シェル２５，２６は、それぞれケーブル２４のシールド２４ｂと接続するシェル接触部２５ａ，２６ａを有する。
【０００６】
レセプタクル側コネクタ３１は、ハウジング（インシュレータ）３２と、ハウジング３２に紙面に直交する方向に所定のピッチで保持される多数のコンタクト３３と、各コンタクト３３及びハウジング３２を被覆するシェル３５とから構成される。
【０００７】
各コンタクト３３は、等長の二股形状に構成され、端子部３３ａと、接点３３ｂ１が形成される第１挟持部３３ｂと、第２挟持部３３ｃとを有する。
【０００８】
プラグ側コネクタ２１とレセプタクル側コネクタ３１とを嵌合すると、プラグ側コネクタ２１の各コンタクト２３の接触部２３ａは、それぞれレセプタクル側コネクタ３１の各コンタクト３３の第１挟持部３３ｂの接点３３ｂ１と接続する。
【０００９】
第２の従来のコネクタと相手側コネクタについて本出願前に頒布された刊行物を引用して説明する（例えば、特許文献１参照。）。
【００１０】
図４は、コネクタ４１と相手側コネクタ５１とが接続した状態の断面図である。
【００１１】
コネクタ４１のハウジング（インシュレータ）４２には、突出部（嵌合部）４２ａが設けられ、突出部４２ａに多数のコンタクト４３が所定のピッチで紙面に直交する方向に配設されている。各コンタクト４３の先端部付近は、略クランク形状に構成されている。
【００１２】
相手側コネクタ５１のハウジング（インシュレータ）５２には、多数のコンタクト５３が所定のピッチで紙面に直交する方向に配設されている。各コンタクト５３は、長さが異なる二股形状に構成されている。
【００１３】
コネクタ４１と相手側コネクタ５１とが接続すると、各コンタクト４３の上側接点４３ａはそれぞれ各コンタクト５３の短挟持部の接点５３ａと接続し、各コンタクト４３の下側接点４３ｂはそれぞれ各コンタクト５３の長挟持部の接点５３ｂと接続する。
【００１４】
【特許文献１】特開２００４−３６２８２７号公報
【発明の開示】
【発明が解決しようとする課題】
【００１５】
前記第１の従来のプラグ側コネクタ２１とレセプタクル側コネクタ３１では、等長の二股形状の各コンタクト３３が各コンタクト２３の接触部２３ａ及び突出部２２ａを挟持することによって、各第１挟持部３３ｂの接点３３ｂ１が各接触部２３ａと１点で接続する。したがって、接続は、信頼性に乏しい。また、プラグ側コネクタ２１のシェル２５，２６とレセプタクル側コネクタ３１のシェル３５との接続については、開示されていない。
【００１６】
前記第２の従来のコネクタ４１と相手側コネクタ５１では、両接点４３ａ，４３ｂは両接点５３ａ，５３ｂと２点で接続するが、両コネクタ４１，５１のシェルの接続については、開示されていない。
【００１７】
そこで、本発明は、前記両従来のコネクタの欠点を改良し、接続信頼性が高いコネクタと相手側コネクタを提供しようとするものである。
【課題を解決するための手段】
【００１８】
本発明は、前記課題を解決するため、次の手段を採用する。
【００１９】
１．複数のコンタクト３と、前記各コンタクトを保持するハウジング２と、前記ハウジングを被覆するシェル５とを有するコネクタ１において、前記ハウジングは、前記各コンタクトの接触部３ａ，３ｂが配設される平板状の突出部２ａを有し、前記各コンタクトは、前記突出部の一面側に配設される第１接触部３ａと、前記第１接触部から延設されて前記突出部の他面側に配設される第２接触部３ｂとを有し、前記シェルは、前記突出部の他面側に配設されるシェル接触部５ａを有し、前記第２接触部の端面と前記シェル接触部の端面とは、対向配置されるコネクタ。
【００２０】
２．前記１記載のコネクタと接続する相手側コネクタ１１において、前記相手側コネクタは、複数の相手側コンタクト１３と、前記各相手側コンタクトを保持する相手側ハウジング１２と、前記相手側ハウジングを被覆する相手側シェル１５とを有し、前記各相手側コンタクトは、前記第１接触部と接続する相手側第１接触部１３ｂと、前記第２接触部と接続する相手側第２接触部１３ｃとを有し、前記相手側シェルは、前記シェル接触部と接続する相手側シェル接触部１５ａを有する相手側コネクタ。
【００２１】
３．前記２記載の相手側コネクタにおいて、前記各コンタクト及び前記各相手側コンタクトは、信号コンタクトとグランドコンタクトからなり、前記シェル接触部は、第１シェル接触部と第２シェル接触部とからなり、前記第１シェル接触部は、前記相手側シェル接触部と接続し、前記第２シェル接触部は、前記相手側コンタクトの前記グランドコンタクトと接続する相手側コネクタ。
【発明の効果】
【００２２】
明細書の記載から明らかなように、本発明は、次の効果を奏する。
【００２３】
１．コネクタの各コンタクトは、突出部の一面側に配設される第１接触部と、第１接触部から延設されて突出部の他面側に配設される第２接触部とを有し、シェルは、突出部の他面側に配設されるシェル接触部を有し、第２接触部の端面とシェル接触部の端面とは、対向配置される。また、相手側コネクタの各相手側コンタクトは、前記第１接触部と接続する相手側第１接触部と、前記第２接触部と接続する相手側第２接触部とを有し、前記相手側シェルは、前記シェル接触部と接続する相手側シェル接触部を有する。したがって、コネクタと相手側コネクタとが、嵌合すると、３点で確実に接続する。また、両コネクタは、低背に構成される。
【００２４】
２．シェルの先端部が各相手側グランドコンタクトとも接続するので、グランドを一層有効に行うことができる。
【発明を実施するための最良の形態】
【００２５】
本発明の２つの実施例のプラグ側コネクタとレセプタクル側コネクタについて説明する。
【実施例１】
【００２６】
本発明の実施例１について図１を参照して説明する。
【００２７】
プラグ側コネクタ１は、ハウジング（インシュレータ）２と、ハウジング２に紙面に直交する方向に所定のピッチで保持される多数の信号コンタクト３と、各信号コンタクト３とそれぞれ接続する各信号導線４ａを有するケーブル４と、各信号コンタクト３、各信号導線４ａ及びハウジング２を被覆してケーブル４のシールド４ｃと半田付けにより接続された両グランドプレート４ｂと接続するシェル５とから構成される。両グランドプレート４ｂは、ケーブル４のシールド４ｃを挟持する。
【００２８】
ハウジング２は、各信号コンタクト３の接触部（後述する第１接触部３ａと第２接触部３ｂ）が配設される平板状の突出部（嵌合部）２ａを有する。
【００２９】
各信号コンタクト３は、突出部２ａの一面側に配設される第１接触部（上側接点）３ａと、第１接触部３ａから略Ｕ字形状に延設されて突出部２ａの他面側に配設される第２接触部（下側接点）３ｂとを有する。
【００３０】
グランドプレート４ｂは、ケーブル４の上下両側に設けられている。
【００３１】
シェル５は、突出部２ａの他面側に配設されるシェル接触部（シェル接点）５ａを有する。第２接触部３ｂの端面とシェル接触部５ａの端面とは、突出部２ａの他面側に形成されている凸部２ａ１を挟んで対向配置される。
【００３２】
レセプタクル側コネクタ１１は、ハウジング（インシュレータ）１２と、ハウジング１２に紙面に直交する方向に所定のピッチで保持される多数の信号コンタクト１３と、各信号コンタクト１３の端子部１３ａとそれぞれ接続する各パッド１４ａを有する基板１４と、各信号コンタクト１３及びハウジング１２を被覆するシェル１５とから構成される。
【００３３】
各信号コンタクト１３は、長さが異なる二股形状に構成され、端子部１３ａと、ハウジング１２の内面側に配設される第１接触部（上側接点）１３ｂと、第２接触部（下側接点）１３ｃとを有する。第１接触部１３ｂと第２接触部１３ｃとは、プラグ側コネクタ１とレセプタクル側コネクタ１１との接続方向において、ずれて配設される。
【００３４】
シェル１５の下部は、略Ｕ字形状に延設されてハウジング１２の下部の内面側に配設されるシェル接触部（シェル接点）１５ａを有する。第２接触部１３ｃの端面とシェル接触部１５ａの端面とは、ハウジング１２の下部の内面側に形成されている凸部１２ａを挟んで対向配置される。
【００３５】
プラグ側コネクタ１とレセプタクル側コネクタ１１とを嵌合すると、プラグ側コネクタ１の各信号コンタクト３の第１接触部３ａ、第２接触部３ｂ、シェル５のシェル接触部５ａは、それぞれレセプタクル側コネクタ１１の各信号コンタクト１３の第１接触部１３ｂ、第２接触部１３ｃ、シェル１５のシェル接触部１５ａと、３点で接続し、コネクタとしての接続形態のバランスが良くなる。
【００３６】
シェル接触部５ａが各信号コンタクト１３の第２接触部１３ｃと同一面に位置するので、低背に構成される。
【実施例２】
【００３７】
本発明の実施例２について図２を参照して説明する。
【００３８】
実施例２についての説明は、実施例１と同様な点の説明を省略し、相違する点の説明を行う。
【００３９】
実施例２のプラグ側コネクタ１とレセプタクル側コネクタ１１は、実施例１のプラグ側コネクタ１の各信号コンタクト３とレセプタクル側コネクタ１１の各信号コンタクト１３の内、所定数を、それぞれ各グランドコンタクト７と各グランドコンタクト１７に代えたものである。すなわち、実施例２では、信号コンタクトとグランドコンタクトとを有する。
【００４０】
また、実施例２のプラグ側コネクタ１の各グランドコンタクト７は、各グランド導線８ａと接続する。
【００４１】
更に、実施例２のプラグ側コネクタ１は、グランドコンタクト７が配設された位置に対応してその部分の実施例１のプラグ側コネクタ１の凸部２ａ１を除去し、かつ、グランドコンタクト７が配設された位置に対応する部分のみシェル接触部５ａ´を延設し、各グランドコンタクト１７の第２接触部（下側接点）１７ｃと接続するようにしたものである。すなわち、信号コンタクト３と対向する位置のシェル接触点５ａは、図１の位置であり、グランドコンタクト７と対向する位置のシェル接触部５ａ´は、図２の位置となる。なお、シェル接触部５ａ´の端面は、各グランドコンタクト７の端面と当接し接続してもよい。
【００４２】
また、凸部１２ａは、プラグ側コネクタ１の凸部２ａ１と同様に除去し、グランドコンタクト１７の第２接触部（下側接点）１７ｃの端面側にシェル接触部１５ａの端面を延ばしても良い。すなわち、レセプタクル側コネクタ１１のグランドコンタクト１７と対応する位置のシェル接触部１５ａを、プラグ側コネクタ１のシェル接触部５ａ´と同様な構成にしても良い。
【図面の簡単な説明】
【００４３】
【図１】本発明の実施例１のプラグ側コネクタとレセプタクル側コネクタとが接続した状態の断面図である。
【図２】本発明の実施例２のプラグ側コネクタとレセプタクル側コネクタとが接続した状態の断面図である。
【図３】第１の従来のプラグ側コネクタとレセプタクル側コネクタとが接続した状態の断面図である。
【図４】第２の従来のコネクタと相手側コネクタとが接続した状態の断面図である。
【符号の説明】
【００４４】
１  プラグ側コネクタ（コネクタ）
２  ハウジング（インシュレータ）
２ａ  突出部（嵌合部）
２ａ１  凸部
３  信号コンタクト
３ａ  第１接触部（上側接点）
３ｂ  第２接触部（下側接点）
４  ケーブル
４ａ  信号導線
４ｂ  グランドプレート
４ｃ  シールド
５  シェル
５ａ  シェル接触部（シェル接点、第１シェル接触部）
５ａ´  シェル接触部（シェル接点、第２シェル接触部）
７  グランドコンタクト
８ａ  グランド導線
１１  レセプタクル側コネクタ（相手側コネクタ）
１２  ハウジング
１２ａ  凸部
１３  信号コンタクト
１３ａ  端子部
１３ｂ  第１接触部（上側接点）
１３ｃ  第２接触部（下側接点）
１４  基板
１４ａ  パッド
１５  シェル
１５ａ  シェル接触部（シェル接点）
１７  グランドコンタクト
１７ｃ  第２接触部（下側接点）
【図１】
2008293916.tif 000003
【図２】
2008293916.tif 000004
【図３】
2008293916.tif 000005
【図４】
2008293916.tif 000006